(57)【要約】      （修正有）【課題】インクジェットヘッドの傾きによる印刷品質の低下をより簡便に改善することが可能な液滴吐出装置、液滴吐出装置の調整方法を提供する。【解決手段】印刷媒体を副走査方向（第１方向）に移動する搬送部と、印刷媒体にインクを吐出する所定の方向に並んだ複数のノズルによって構成されるノズル列を複数有する液滴吐出部２０と、液滴吐出部２０を走査方向（第２方向）に走査移動する走査移動部と、を備える液滴吐出装置において、副走査方向（第１方向）と走査方向（第２方向）とが含まれる平面内において、副走査方向（第１方向）に対する所定の方向の傾きを補正し、補正した補正量に基づき、インクを吐出するノズルの位置を補正する。【選択図】図６
2017024232.tif 000002
【特許請求の範囲】
【請求項１】
印刷媒体を第１方向に移動する搬送部と、
前記印刷媒体に液滴を吐出する所定の方向に並んだ複数のノズルによって構成されるノズル列を複数有する液滴吐出部と、
前記液滴吐出部を第２方向に走査移動する走査移動部と、を備える液滴吐出装置の調整方法であって、
前記第１方向と前記第２方向とが含まれる平面内において、前記第１方向に対する前記所定の方向の傾きを補正し、
補正した補正量に基づき、前記液滴を吐出する前記ノズルの位置を補正することを特徴とする液滴吐出装置の調整方法。
【請求項２】
前記補正量をθ、
隣り合う前記ノズル列の前記第２方向の距離をＤｘ、
前記ノズル列が前記第２方向に走査移動しながら吐出する前記液滴によって前記第２方向に形成される複数のドット列の列間距離をｄｐとしたとき、
Ｄｘ・ｓｉｎθ／ｄｐによって算出される値に基づいて、前記液滴を吐出する前記ノズルの位置を補正することを特徴とする請求項１に記載の液滴吐出装置の調整方法。
【請求項３】
前記印刷媒体に対して前記液滴吐出部を静止させた状態で、前記ノズルから前記液滴を吐出させて前記印刷媒体に前記所定の方向に並ぶ第１ドット列を形成する工程と、
前記液滴吐出部を前記第２方向に走査移動させながら、特定の前記ノズルから前記液滴を吐出させて前記印刷媒体に前記第２方向に並ぶ第２ドット列を形成する工程と、
前記第１ドット列と前記第２ドット列との成す角度から、前記第１方向に対する前記所定の方向の傾きを求める工程と、を含むことを特徴とする請求項１または請求項２に記載の液滴吐出装置の調整方法。
【請求項４】
印刷媒体を第１方向に移動する搬送部と、
前記印刷媒体に液滴を吐出する所定の方向に並んだ複数のノズルによって構成されたノズル列を複数有する液滴吐出部と、
複数の前記ノズル列を第２方向に走査移動する走査移動部と、
前記第１方向と前記第２方向とが含まれる平面内において、前記第１方向に対する前記所定の方向の傾きを補正することが可能な傾き補正部と、
前記傾き補正部が補正した補正量に基づき、前記液滴を吐出する前記ノズルの位置を補正する制御部と、を備えることを特徴とする液滴吐出装置。
【請求項５】
前記補正量をθ、
隣り合う前記ノズル列の前記第２方向の距離をＤｘ、
前記ノズル列が前記第２方向に走査移動しながら吐出する前記液滴によって前記第２方向に形成される複数のドット列の列間距離をｄｐとしたとき、
前記制御部が、Ｄｘ・ｓｉｎθ／ｄｐによって算出される値に基づいて、前記液滴を吐出する前記ノズルの位置を補正することを特徴とする請求項４に記載の液滴吐出装置。
【発明の詳細な説明】
【技術分野】
【０００１】
本発明は、液滴吐出装置および液滴吐出装置の調整方法に関する。
【背景技術】
【０００２】
インクジェットプリンターに代表される液滴吐出装置は、印刷画像の高品質化（高精細化）の要求や印刷の高速化の要求に応じ、プリンターヘッドに搭載するノズルの微細化を進め、その数を増加させてきた。また使用するインク種を増加させてきた。その結果、プリンターヘッドを構成するインクジェットヘッドの数が増加し、その取付け精度の確保および維持が課題となってきた。これに対し、例えば、特許文献１には、個々のインクジェットヘッドの傾きを調整するダイヤル式調整手段を備えたプリンターヘッドが提案されている。
【先行技術文献】
【特許文献】
【０００３】
【特許文献１】特開２００８−６２５３４号公報
【発明の概要】
【発明が解決しようとする課題】
【０００４】
しかしながら、特許文献１に記載のプリンターヘッドでは、インクジェットヘッドの傾きを個々に高精度で調整することが可能ではあるものの、その調整作業に要する時間が搭載するインクジェットヘッドの数の増加に伴って増大してしまうという課題があった。また、個々のインクジェットヘッドに調整手段を備える必要があるため、プリンターヘッドのコストがアップしてしまうという課題があった。
【課題を解決するための手段】
【０００５】
本発明は、上述の課題の少なくとも一部を解決するためになされたものであり、以下の適用例または形態として実現することが可能である。
【０００６】
［適用例１］  本適用例に係る液滴吐出装置の調整方法は、印刷媒体を第１方向に移動する搬送部と、前記印刷媒体に液滴を吐出する所定の方向に並んだ複数のノズルによって構成されるノズル列を複数有する液滴吐出部と、前記液滴吐出部を第２方向に走査移動する走査移動部と、を備える液滴吐出装置の調整方法であって、前記第１方向と前記第２方向とが含まれる平面内において、前記第１方向に対する前記所定の方向の傾きを補正し、補正した補正量に基づき、前記液滴を吐出する前記ノズルの位置を補正することを特徴とする。
【０００７】
本適用例によれば、ノズルが並ぶ所定の方向（ノズル列の方向）が、第１方向に対して傾きを持っていた場合に、その傾きが補正される。また、この補正量に基づき、液滴を吐出するノズルの位置が補正される。その結果、第２方向に並ぶ複数のノズル列は、第１方向に並ぶドットを形成することができる。また、傾きの補正によって、第１方向において位置が変化するノズルに対して、液滴を吐出するノズルの位置が補正されるため、形成される画像に与える傾きの補正の影響を抑制することができる。
【０００８】
［適用例２］  上記適用例に係る液滴吐出装置の調整方法において、前記補正量をθ、隣り合う前記ノズル列の前記第２方向の距離をＤｘ、前記ノズル列が前記第２方向に走査移動しながら吐出する前記液滴によって前記第２方向に形成される複数のドット列の列間距離をｄｐとしたとき、Ｄｘ・ｓｉｎθ／ｄｐによって算出される値に基づいて、前記液滴を吐出する前記ノズルの位置を補正することを特徴とする。
【０００９】
本適用例によれば、液滴を吐出するノズルの位置の補正が、Ｄｘ・ｓｉｎθ／ｄｐによって算出される値に基づいて行われる。Ｄｘ・ｓｉｎθの値は、傾きの補正によって、第２方向に隣り合うノズル列の位置が第１方向において変動する大きさである。この大きさとｄｐ（ノズル列が第２方向に走査移動しながら吐出する液滴によって第２方向に形成される複数のドット列の列間距離。つまりは、第１方向のノズル位置の間隔）との比の値に基づいて液滴を吐出するノズルの位置が補正される。例えば、比の値を四捨五入して得られる自然数の数だけ吐出するノズル位置をずらすことで、好適な補正を行うことができる。
【００１０】
［適用例３］  上記適用例に係る液滴吐出装置の調整方法において、前記印刷媒体に対して前記液滴吐出部を静止させた状態で、前記ノズルから前記液滴を吐出させて前記印刷媒体に前記所定の方向に並ぶ第１ドット列を形成する工程と、前記液滴吐出部を前記第２方向に走査移動させながら、特定の前記ノズルから前記液滴を吐出させて前記印刷媒体に前記第２方向に並ぶ第２ドット列を形成する工程と、前記第１ドット列と前記第２ドット列との成す角度から、前記第１方向に対する前記所定の方向の傾きを求める工程と、を含むことを特徴とする。
【００１１】
本適用例によれば、印刷媒体に形成される第１ドット列と第２ドット列との成す角度を観察することで簡便に補正すべき量を求めることができる。
【００１２】
［適用例４］  本適用例に係る液滴吐出装置は、印刷媒体を第１方向に移動する搬送部と、前記印刷媒体に液滴を吐出する所定の方向に並んだ複数のノズルによって構成されたノズル列を複数有する液滴吐出部と、複数の前記ノズル列を第２方向に走査移動する走査移動部と、前記第１方向と前記第２方向とが含まれる平面内において、前記第１方向に対する前記所定の方向の傾きを補正することが可能な傾き補正部と、前記傾き補正部が補正した補正量に基づき、前記液滴を吐出する前記ノズルの位置を補正する制御部と、を備えることを特徴とする。
【００１３】
本適用例によれば、ノズルが並ぶ所定の方向（ノズル列の方向）が、第１方向に対して傾きを持っていた場合に、その傾きが補正される。また、この補正量に基づき、制御部によって、液滴を吐出するノズルの位置が補正される。その結果、第２方向に並ぶ複数のノズル列は、第１方向に並ぶドットを形成することができる。また、傾きの補正によって、第１方向において位置が変化するノズルに対して、液滴を吐出するノズルの位置が補正されるため、形成される画像に与える傾きの補正の影響を抑制することができる。
【００１４】
［適用例５］  上記適用例に係る液滴吐出装置において、前記補正量をθ、隣り合う前記ノズル列の前記第２方向の距離をＤｘ、前記ノズル列が前記第２方向に走査移動しながら吐出する前記液滴によって前記第２方向に形成される複数のドット列の列間距離をｄｐとしたとき、前記制御部が、Ｄｘ・ｓｉｎθ／ｄｐによって算出される値に基づいて、前記液滴を吐出する前記ノズルの位置を補正することを特徴とする。
【００１５】
本適用例によれば、液滴を吐出するノズルの位置の補正が、Ｄｘ・ｓｉｎθ／ｄｐによって算出される値に基づいて行われる。Ｄｘ・ｓｉｎθの値は、傾きの補正によって、第２方向に隣り合うノズル列の位置が第１方向において変動する大きさである。この大きさとｄｐ（ノズル列が第２方向に走査移動しながら吐出する液滴によって第２方向に形成される複数のドット列の列間距離。つまりは、第１方向のノズル位置の間隔）との比の値に基づいて液滴を吐出するノズルの位置が補正される。例えば、比の値を四捨五入して得られる自然数の数だけノズル位置を補正することで、好適な補正を行うことができる。
【図面の簡単な説明】
【００１６】
【図１】実施形態１に係る液滴吐出装置の構成を示す正面図
【図２】実施形態１に係る液滴吐出装置の構成を示すブロック図
【図３】プリンタードライバーによる印刷データ生成処理の説明図
【図４】プリンターヘッドの構成を示す平面図
【図５】インク吐出ヘッドの一部を拡大し、吐出されるインクによって形成されるドット位置との関係を示す平面図
【図６】インク吐出ヘッドを束ねる基体の歪みを示す平面図
【図７】傾きθの検出を行うために印刷した傾きθ検出用画像の例
【図８】傾き補正部の構成を示す平面図
【図９】傾きθの補正を行った状態を示す平面図
【図１０】傾きθの補正を行った後の傾きθ検出用画像の例
【図１１】ズル位置補正処理を行ったプリンターヘッドの一例を説明するための平面図
【発明を実施するための形態】
【００１７】
以下に、本発明を具体化した実施形態について、図面を参照して説明する。以下は、本発明の一実施形態であって、本発明を限定するものではない。なお、以下の各図においては、説明を分かりやすくするため、実際とは異なる尺度で記載している場合がある。また、図面に付記する座標においては、Ｚ軸方向が上下方向、＋Ｚ方向が上方向、Ｘ軸方向が前後方向、−Ｘ方向が手前方向、Ｙ軸方向が左右方向、＋Ｙ方向が左方向、Ｘ−Ｙ平面が水平面としている。
【００１８】
（実施形態１）
図１は、実施形態１に係る液滴吐出装置１の構成を示す正面図、図２は、ブロック図である。
液滴吐出装置１は、インクジェットプリンター１００（以下プリンター１００と言う）およびパーソナルコンピューター１１０（以下ＰＣ１１０と言う）などから構成されている。
プリンター１００は、ＰＣ１１０から受信する印刷データに基づいて、ロール状に巻かれた状態で供給される長尺状の印刷媒体５に所望の画像を印刷するインクジェットプリンターである。
【００１９】
＜パーソナルコンピューター（ＰＣ１１０）＞
ＰＣ１１０は、「制御部」としてのプリンター制御部１１１、入力部１１２、表示部１１３、記憶部１１４などを備え、プリンター１００に印刷を行わせる印刷ジョブの制御を行う。
プリンター制御部１１１は、ＣＰＵ（演算部）や、ＲＡＭ、ＲＯＭなどの記憶素子を備え（図示省略）液滴吐出装置１全体の集中管理を行う。
入力部１１２は、ヒューマンインターフェースとして情報入力手段である。具体的には、例えば、キーボードや情報入力機器が接続されるポートなどである。
表示部１１３は、ヒューマンインターフェースとしての情報表示手段（ディスプレー）であり、プリンター制御部１１１の制御の基に、入力部１１２から入力される情報や、プリンター１００に印刷する画像、印刷ジョブに基づく情報などが表示される。
記憶部１１４は、ハードディスクドライブ（ＨＤＤ）やメモリーカードなどの書き換え可能な記憶媒体であり、ＰＣ１１０が動作するソフトウェア（プリンター制御部１１１で走るプログラム）や、印刷する画像、印刷ジョブに基づく情報などが記憶される。
【００２０】
ＰＣ１１０が動作するソフトウェアには、一般的な画像処理アプリケーションソフトウェア（以下アプリケーションと言う）や、後述するプリンタードライバーソフトウェア（以下プリンタードライバーと言う）が含まれる。
【００２１】
＜インクジェットプリンター（プリンター１００）の基本構成＞
プリンター１００は、印刷部１０、搬送部４０、走査移動部５０、コントローラー６０などから構成されている。ＰＣ１１０から印刷データを受信したプリンター１００は、印刷データに基づいて、コントローラー６０により各駆動部（印刷部１０、搬送部４０、走査移動部５０）を制御し、印刷媒体５に画像を印刷（画像形成）する。
印刷データは、例えば、デジタルカメラなどによって得られた一般的なＲＧＢのデジタル画像情報を、ＰＣ１１０が備えるアプリケーションおよびプリンタードライバーによってプリンター１００で印刷できるように変換処理した画像形成用のデータであり、プリンター１００を制御するコマンドを含んでいる。
【００２２】
印刷部１０は、液滴吐出部としてのプリンターヘッド２０、傾き補正部３０などから構成されている。
搬送部４０は、供給部４１、収納部４２、搬送ローラー４３、プラテン４４などから構成されており、印刷媒体５を「第１方向」としての副走査方向（図１に示すＹ軸方向）に移動（搬送）させることができる。
走査移動部５０は、キャリッジ５１、ガイド軸５２、キャリッジモーター（図示省略）などから構成されており、プリンターヘッド２０を、副走査方向（第１方向）と交差する「第２方向」としての走査方向（図１に示すＸ軸方向）に移動させることができる。
【００２３】
プリンターヘッド（液滴吐出部）２０は、印刷用インク（以下インクと言う）を液滴（以下インク滴とも言う）として吐出する複数のノズル（ノズル列）を有している。プリンターヘッド２０は、キャリッジ５１に搭載され、走査方向に移動するキャリッジ５１に伴って走査方向に往復移動する。プリンターヘッド２０が走査方向に移動しながらコントローラー６０の制御の下に、プラテン４４に支持される印刷媒体５にインク滴を吐出することによって、走査方向に沿ったドットの列が印刷媒体５に形成される。
プリンターヘッド２０の構成については、後述する。
【００２４】
インクには、例えば、濃インク組成物からなるインクセットとして、シアン（Ｃ）、マゼンタ（Ｍ）、イエロー（Ｙ）の３色のインクセットにブラック（Ｋ）を加えた４色のインクセットなどがある。また、例えば、それぞれの色材の濃度を淡くした淡インク組成物からなるライトシアン（Ｌｃ）、ライトマゼンタ（Ｌｍ）、ライトイエロー（Ｌｙ）、ライトブラック（Ｌｋ）などのインクセットを加えた８色のインクセットなどがある。
【００２５】
インク滴を吐出する方式（インクジェット方式）としては、好適例としてピエゾ方式を用いている。ピエゾ方式は、圧力室に貯留されたインクに圧電素子（ピエゾ素子）により印刷情報信号に応じた圧力を加え、圧力室に連通するノズルからインク滴を噴射（吐出）し印刷する方式である。
なお、インク滴を吐出する方式は、これに限定するものではなく、インクを液滴状に噴射させ、印刷媒体上にドット群を形成する他の記録方式であってもよい。例えば、小型ポンプでインクに圧力を加え、ノズルを水晶振動子などで機械的に振動させることにより、強制的にインク滴を噴射させる方式、インクを記録情報信号に従って微小電極で加熱発泡させ、インク滴を噴射し記録する方式（サーマルジェット方式）などであってもよい。
【００２６】
ガイド軸５２は、走査方向に延在しキャリッジ５１を摺接可能な状態で支持し、また、キャリッジモーターは、キャリッジ５１をガイド軸５２に沿って往復移動させる際の駆動源となる。つまり、走査移動部５０（キャリッジ５１、ガイド軸５２、キャリッジモーター）は、コントローラー６０の制御の下にキャリッジ５１を（つまりは、プリンターヘッド２０を）ガイド軸５２に沿って走査方向に移動させる。
【００２７】
供給部４１は、印刷媒体５がロール状に巻かれたリールを回転可能に支持し、印刷媒体５を搬送経路に送り出す。収納部４２は、印刷媒体５を巻き取るリールを回転可能に支持し、印刷が完了した印刷媒体５を搬送経路から巻き取る。
搬送ローラー４３は、印刷媒体５を副走査方向に移動させる駆動ローラーや印刷媒体５の移動に伴って回転する従動ローラーなどから成り、印刷媒体５を供給部４１から印刷部１０の印刷領域（プラテン４４の上面でプリンターヘッド２０が走査移動する領域）を経由し、収納部４２に搬送する搬送経路を構成する。
【００２８】
コントローラー６０は、インターフェイス部６１、ＣＰＵ６２、メモリー６３、駆動制御部６４などを備え、プリンター１００の制御を行う。
インターフェイス部６１は、ＰＣ１１０とプリンター１００との間でデータの送受信を行う。
ＣＰＵ６２は、プリンター１００全体の制御を行うための演算処理装置である。
メモリー６３は、ＣＰＵ６２が動作するプログラムを格納する領域や動作する作業領域などを確保する記憶媒体であり、ＲＡＭ、ＥＥＰＲＯＭなどの記憶素子によって構成される。
ＣＰＵ６２は、メモリー６３に格納されているプログラム、およびＰＣ１１０から受信した印刷データに従って、駆動制御部６４を介して各駆動部（印刷部１０、搬送部４０、走査移動部５０）を制御する。
【００２９】
コントローラー６０は、走査方向に移動中のプリンターヘッド２０からインクを吐出させる液滴吐出動作と、副走査方向に印刷媒体５を移動する搬送動作とを交互に繰り返し、複数のドットから構成される画像を印刷媒体５に印刷する。なお、液滴吐出動作のことを「パス」と呼ぶことがある。
【００３０】
＜プリンタードライバーの基本機能＞
印刷媒体５への印刷は、プリンター１００に接続されたＰＣ１１０から印刷データが送信されることにより開始される。印刷データは、プリンタードライバーによって生成される。以下、プリンタードライバーによる処理について、図３を参照しながら説明する。図３は、プリンタードライバーによる印刷データ生成処理の説明図である。
【００３１】
プリンタードライバーは、アプリケーションから画像データ（例えば、テキストデータやフルカラーのイメージデータなど）を受け取り、プリンター１００が解釈できる形式の印刷データに変換し、印刷データをプリンター１００に出力する。アプリケーションからの画像データを印刷データに変換する際に、プリンタードライバーは、解像度変換処理・色変換処理・ハーフトーン処理・ラスタライズ処理・コマンド付加処理などを行う。
また、プリンタードライバーは、本実施形態を特徴付けるノズル位置補正処理を行う機能を備えている。ノズル位置補正処理については後述する。
【００３２】
解像度変換処理は、アプリケーションから出力された画像データを、印刷媒体５に印刷する際の解像度（印刷解像度）に変換する処理である。例えば、印刷解像度が７２０×７２０ｄｐｉに指定されている場合、アプリケーションから受け取ったベクター形式の画像データを７２０×７２０ｄｐｉの解像度のビットマップ形式の画像データに変換する。解像度変換処理後の画像データの各画素データは、マトリクス状に配置された画素から構成されている。各画素はＲＧＢ色空間の例えば２５６階調の階調値を有している。つまり、解像度変換後の画素データは、対応する画素の階調値を示すものである。
マトリクス状に配置された画素の内の所定の方向に並ぶ１列分の画素に対応する画素データを、ラスタデータと言う。なお、ラスタデータに対応する画素が並ぶ所定の方向は、画像を印刷するときのプリンターヘッド２０の移動方向（走査方向）と対応している。
【００３３】
色変換処理は、ＲＧＢデータをプリンター１００が使用するインクの色空間としてのＣＭＹＫ色系空間のデータに変換する処理である。ＣＭＹＫ色とは、シアン（Ｃ）、マゼンタ（Ｍ）、イエロー（Ｙ）、ブラック（Ｋ）であり、ＣＭＹＫ色系空間の画像データは、プリンター１００が有するインクの色に対応したデータである。従って、例えば、プリンター１００がＣＭＹＫ色系の１０種類のインクを使用する場合には、プリンタードライバーは、ＲＧＢデータに基づいて、ＣＭＹＫ色系の１０次元空間の画像データを生成する。
この色変換処理は、ＲＧＢデータの階調値とＣＭＹＫ色系データの階調値とを対応づけたテーブル（色変換ルックアップテーブルＬＵＴ）に基づいて行われる。なお、色変換処理後の画素データは、ＣＭＹＫ色系空間により表される例えば２５６階調のＣＭＹＫ色系データである。
【００３４】
ハーフトーン処理は、高階調数（２５６階調）のデータを、プリンター１００が形成可能な階調数のデータに変換する処理である。このハーフトーン処理により、２５６階調を示すデータが、２階調を示す１ビットデータや４階調を示す２ビットデータに変換される。ハーフトーン処理後の画像データは、１ビットまたは２ビットのデータであり、この画素データは各画素でのドットの形成（ドットの有無、ドットの大きさ）を示すデータになる。
例えば２ビット（４階調）の場合、ドット階調値［００］に対応するドットなし、ドット階調値［０１］に対応する小ドットの形成、ドット階調値［１０］に対応する中ドットの形成、および、ドット階調値［１１］に対応する大ドットの形成のように４段階に変換される。その後、各ドットのサイズについてドット生成率が決められた上で、ディザ法・γ補正・誤差拡散法などを利用して、プリンター１００がドットを分散して形成するように画素データが作成される。
【００３５】
ラスタライズ処理は、マトリクス状に並ぶ画素データを、印刷時のドット形成順序に従って並べ替える処理である。例えば、印刷時に数回に分けてドット形成処理が行われる場合、各ドット形成処理に対応する画素データをそれぞれ抽出し、ドット形成処理の順序に従って並べ替える。なお、印刷方式が異なれば印刷時のドット形成順序が異なるので、印刷方式に応じてラスタライズ処理が行われることになる。
【００３６】
コマンド付加処理は、ラスタライズ処理されたデータに、印刷方式に応じたコマンドデータを付加する処理である。コマンドデータとしては、例えば媒体の搬送速度を示す搬送データなどがある。
【００３７】
＜プリンターヘッド２０の構成＞
図４は、プリンターヘッド２０の構成を示す平面図である。
プリンターヘッド２０は、上述した８色のインク（シアン（Ｃ）、マゼンタ（Ｍ）、イエロー（Ｙ）、ブラック（Ｋ）、ライトシアン（Ｌｃ）、ライトマゼンタ（Ｌｍ）、ライトイエロー（Ｌｙ）、ライトブラック（Ｌｋ））に対応した８個のインク吐出ヘッド１３を、基体１５によって、平行に束ねた集合体として構成されている。
それぞれのインク吐出ヘッド１３には、４個のノズルチップ１４が、千鳥配列となるように２個ずつ、所定の方向に２列に配置されている。ここで、走査方向（第２方向）に隣り合うノズルチップ１４の距離はＤｘ、所定の方向に隣り合うノズルチップ１４の距離はＤｙである。
ノズルチップ１４には、１列１０穴のノズル１６が１インチ当たり３６０個の間隔で所定の方向に２列形成されている。
【００３８】
このような構成のプリンターヘッド２０を、所定の方向が走査方向（第２方向、Ｘ軸方向）と直交する方向になるようにキャリッジ５１に搭載することで、１インチ当たり７２０個のピッチ（７２０ｄｐｉ）で、副走査方向（Ｙ軸方向）に７４個の８色のドットを形成することができる。
【００３９】
図５は、インク吐出ヘッド１３の一部を拡大し、吐出されるインクによって形成されるドット位置との関係を示す平面図である。
ノズルチップ１４に形成されている２列のノズル列は、所定の方向における位置が２分の１ピッチずれて配列されているため、印刷媒体５に形成されるドットの列間距離ｄｐが約３５．３μｍ（７２０ｄｐi）となる。走査方向（第２方向）におけるノズル１６の位置の差は、走査移動させながらインクを吐出するタイミングを調整することで、仮想的に所定の方向に一列に並ぶノズル列としてみなすことができる。また、走査方向において重なる位置にあるノズル１６（図５に示す♯１９Ａと♯２０Ａのおよび♯１９Ｂと♯２０Ｂのノズル１６）は、その一方のノズルのみを有効としている。
プリンター１００は、画像データから生成された印刷データに基づいたラスタデータに従って該当するノズルからインクを吐出するパスを繰り返すことにより、画像データに対応する画像を印刷媒体５に形成する。
【００４０】
なお、プリンターヘッド２０の構成は、このような小規模な構成に限定するものではない。例えば、それぞれのインク吐出ヘッド１３が、数十個から数百個のノズルチップ１４を搭載し、それぞれのノズルチップ１４には、数百個のノズルが数列形成されている構成であっても良い。このような大規模なプリンターヘッド２０の場合、図６に示すように、インク吐出ヘッド１３を束ねる基体１５に僅かな歪みが発生する場合がある。具体的には、平行して束ねられた所定の方向に延在するインク吐出ヘッド１３が、走査方向（第２方向、Ｘ軸方向）と直交する方向に対して傾きθを持ってしまうような場合である。
【００４１】
このような傾きが発生すると、形成されるドットの密度差が生じ、重なりが密になった部分が濃いスジに、重なりが粗となった部分が薄いスジとなってしまう。
そこで、本実施形態の液滴吐出装置１は、傾きθを検出する手段と、この傾きを補正する傾き補正部３０、および、傾き補正部が補正した補正量に基づき、液滴を吐出するノズルの位置を補正するノズル位置補正処理機能とを備えている。
以下に具体的に説明する。
【００４２】
＜傾きθの検出手段＞
傾きθの検出は、プリンター１００の印刷機能により、印刷媒体５に所定の画像（傾きθ検出用画像）を印刷し、その画像を観察することにより行う。すなわち、傾きθの検出手段は、傾きθ検出用画像を印刷する機能と、その画像を観察することにより傾きθを導出する機能である。
傾きθ検出用画像を印刷する機能は、プリンタードライバーのユーティリティー機能として備えることができる。
傾きθを導出する機能は、傾きθ検出用画像を画像認識するスキャナー機能と、画像処理機能を備えることにより、自動的に算出させることができる。なお、傾きθを導出する機能をプリンター１００に持たせずに、プリンター１００のユーザーが、印刷された傾きθ検出用画像を直接計測することにより導出する方法であっても良い。
【００４３】
図７に、傾きθの検出を行うために印刷した傾きθ検出用画像の例を示す。（なお、図６がプリンターヘッド２０を下から見た平面図であるのに対して、図７は印刷面を見た図であるため、傾きが逆になっている。）
まず、印刷媒体５に対してプリンターヘッド２０を静止させた状態で、全てのノズル１６からインクを吐出させて印刷媒体５に、所定の方向に並ぶ第１ドット列７１を形成する。
次に、プリンターヘッド２０を走査方向（第２方向）に走査移動させながら、特定のノズル１６（図７の例では、＋Ｘ端のインク吐出ヘッド１３の各ノズルチップ１４の図５に示す♯１２Ａや♯２２Ａの位置のノズル１６）からインクを吐出させて印刷媒体５に走査方向（第２方向）に並ぶ第２ドット列７２を形成する。
【００４４】
形成された第１ドット列７１と第２ドット列７２との成す角度から、走査方向（第２方向）と直交する方向に対する所定の方向の傾きθを求めることができる。具体的には、例えば、スキャナーによって取り込んだ画像の画像処理により、各ノズルチップ１４のノズル１６によって形成されたドット群の重心位置を求め、所定の方向に離れた２点の重心から第１ドット列７１の方向を求め、次に第２ドット列７２の方向に基づいて、傾きθを算出する。
図７に示す例では、所定の方向に隣り合うノズルチップ１４のノズル１６によって形成されたドット群の重心位置の走査方向（第２方向）のずれｘを計測することで、
ｓｉｎθ＝ｘ／Ｄｙ
から、θが算出されることを示している。
なお、所定の方向に離れた２点の重心から計測されるｘの値は、ばらつきを持つため、例えばｘの平均値によりθを算出することが好ましい。
【００４５】
＜傾き補正部３０＞
図８は、傾き補正部３０の構成の例を示す平面図である。
傾き補正部３０は、プレート３１、調整ダイヤル３２、ウォームギア機構３３などから構成されている。
プレート３１は、キャリッジ５１の下面に、支点ＦによってＸ−Ｙ平面内において回転可能に取り付けられており、プレート３１のコーナー部に設けられたネジ３４によって、キャリッジ５１に固定することができる。プリンターヘッド２０は、プレート３１の下面に固定される。
調整ダイヤル３２は、プレート３１と調整ダイヤル３２とを連結するウォームギア機構３３のウォーム部を回転させるダイヤルである。傾きθに対応するダイヤル値の回転によって、プレート３１を（すなわち、プリンターヘッド２０を）Ｘ−Ｙ平面内において回転させ、傾きθを補正することができる。調整ダイヤル３２は、コントローラー６０によって制御されるモーターなどによって回転し、自動的に調整される構成としても良いし、プリンター１００のユーザーによって調整できる構成としても良い。
【００４６】
図９は、傾きθの補正を行った状態を示す平面図である。
傾き補正部３０により、所定の方向が、走査方向（第２方向）と直交する方向に向くように補正されている。この補正により、形成されるドットの密度差が無くなり、あるいは抑制され、重なりが密になった部分の濃いスジや、重なりが粗となった部分の薄いスジが解消、あるいは抑制される。しかしながら、図９に示すように、この補正を行うことにより、第１方向において、ノズルチップ１４の位置にずれが生ずる。走査方向（第２方向）に隣り合うノズルチップ１４間におけるこの位置ずれ量をｙとしたとき、両端のノズルチップ１４のずれは、図９に示すように７ｙのずれとなる。このずれは、その大きさにより、形成する画像の品質を劣化させる。
【００４７】
＜ノズル位置補正処理機能＞
ノズル位置補正処理は、傾きθの補正を行うことにより発生するノズルの位置ずれを解消、あるいは抑制する機能であり、「制御部」としてのプリンター制御部１１１に（具体的には、プリンタードライバーに）その機能の一部として備えられている。
【００４８】
図１０は、傾きθの補正を行った後に、傾きθの検出手段によって印刷媒体５に傾きθ検出用画像を印刷した画像の例である。
図からも明らかなように、走査方向（第２方向）に隣り合うノズルチップ１４の所定の方向における位置ずれ量ｙは、
ｙ＝Ｄｘ・ｓｉｎθ
によって得られる。
従って、隣り合うノズルチップ１４の位置ずれをすべて解消しようとした場合には、
７ｙ＝７Ｄｘ・ｓｉｎθ
のずれを補正する必要がある。
【００４９】
ノズルチップ１４の位置ずれの補正は、前述したラスタデータに基づいてインクの吐出を行うノズル１６の位置を補正する方法によって行う。つまりラスタデータを対応させるノズル１６の位置を補正分だけシフトさせる。
１回のパスにおいて形成されるドット列の列間距離は、図５に示すようにｄｐである。従って、隣り合うノズルチップ１４の位置ずれを補正するに当たっては、
Ｄｘ・ｓｉｎθ／ｄｐ
で得られる商の値を四捨五入して得られる自然数の数だけノズル位置を補正する。
【００５０】
図１１は、ノズル位置補正処理を行ったプリンターヘッド２０の一例を説明するための平面図である。
傾きθの補正を行ったことによって生じた所定の方向のずれが認められる領域Ａのノズル１６に割り当てられるラスタデータを−Ｙ方向のノズル１６にシフトする。また、シフトして同一のパスで印刷できなくなったラスタデータおよび領域Ｂのノズル１６に割り当てられるラスタデータを、次のパスにおけるラスタデータとして構成する。
その結果、プリンターヘッド２０は、所定の方向と第１方向とのずれが無く、仮想的に、領域Ａおよび領域Ｂのノズル１６が無いプリンターヘッド２０の構成とすることができる。
なお、領域Ａおよび領域Ｂのノズル１６が無い構成とするのではなく、前後のパス（副走査方向に印刷媒体５を移動させて行う前後のパス）においてオーバーラップして活用する方法であっても良い。
【００５１】
以上述べたように、本実施形態による液滴吐出装置、液滴吐出装置の調整方法によれば、以下の効果を得ることができる。
走査方向（第２方向）に並ぶ複数のノズル列のそれぞれを構成する複数のノズル１６が並ぶ所定の方向が、走査方向（第２方向）と直交する方向に対して傾きを持っていた場合に、その傾きが補正される。また、この補正量に基づき、インクを吐出するノズル１６の位置が補正される。その結果、走査方向（第２方向）に並ぶ複数のノズル列は、副走査方向（第１方向）に並ぶドットを形成することができる。また、傾きの補正によって、走査方向（第２方向）と直交する方向において位置が変化するノズル１６に対して、インクを吐出するノズル１６の位置が補正されるため、形成される画像に与える傾きの補正の影響を抑制することができる。
【００５２】
また、インクを吐出するノズル１６の位置の補正が、Ｄｘ・ｓｉｎθ／ｄｐによって算出される値に基づいて行われる。Ｄｘ・ｓｉｎθの値は、傾きの補正によって、走査方向（第２方向）に隣り合うノズル列の位置が走査方向（第２方向）と直交する方向において変動する大きさである。この大きさとｄｐ（ノズル列が走査方向（第２方向）に走査移動しながら吐出するインクによって走査方向（第２方向）に形成される複数のドット列の列間距離。つまりは、走査方向（第２方向）と直交する方向のノズル１６の位置の間隔）との比の値に基づいてインクを吐出するノズル１６の位置が補正される。比の値（商）を四捨五入して得られる自然数の数だけ吐出するノズル１６の位置をずらすことで、好適な補正を行うことができる。
【００５３】
また、印刷媒体５に形成される第１ドット列７１と第２ドット列７２との成す角度を観察することで簡便に補正すべき量を求めることができる。
上記の実施形態に置いて第２方向に並ぶ複数のノズル列の傾きθやノズル列間距離Ｄｘが、いずれのインク吐出ヘッド１３においてもほぼ同一の値を有していることを前提に説明しているが、本発明はこれに限らず、傾きθやノズル列間距離Ｄｘにばらつきがある場合であっても適用が可能であり、上記実施形態と同様の効果を有する。
複数のインク吐出ヘッド１３がそれぞれ異なるθを有する場合は、それぞれの傾きθを測定したうえで、それらの平均値や中央値を上記実施形態の傾きθとして扱うことで適用が可能である。
隣接ノズル列間距離のＤｘに関しては測定値全体の平均値または中央値として１つのＤｘを用いることも可能であるが、それぞれ隣接するインク吐出ヘッド１３間のノズル列間距離Ｄｘを個別に決定して適用したほうが、本発明の効果は大きくなる。
【符号の説明】
【００５４】
１…液滴吐出装置、５…印刷媒体、１０…印刷部、１３…インク吐出ヘッド、１４…ノズルチップ、１５…基体、１６…ノズル、２０…プリンターヘッド、３０…傾き補正部、３１…プレート、３２…調整ダイヤル、３３…ウォームギア機構、３４…ネジ、４０…搬送部、４１…供給部、４２…収納部、４３…搬送ローラー、４４…プラテン、５０…走査移動部、５１…キャリッジ、５２…ガイド軸、６０…コントローラー、６１…インターフェイス部、６２…ＣＰＵ、６３…メモリー、６４…駆動制御部、７１…第１ドット列、７２…第２ドット列、１００…インクジェットプリンター（プリンター）、１１０…パーソナルコンピューター（ＰＣ）、１１１…プリンター制御部、１１２…入力部、１１３…表示部、１１４…記憶部。
【図１】
2017024232.tif 000003
【図２】
2017024232.tif 000004
【図３】
2017024232.tif 000005
【図４】
2017024232.tif 000006
【図５】
2017024232.tif 000007
【図６】
2017024232.tif 000008
【図７】
2017024232.tif 000009
【図８】
2017024232.tif 000010
【図９】
2017024232.tif 000011
【図１０】
2017024232.tif 000012
【図１１】
2017024232.tif 000013